【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
少なくとも９０重量％の鉄ベース冶金粉末；
１族金属ステアラート、２族金属ステアラート、またはエチレンビスステアラミド；
０．０３重量％から０．１重量％の約８０から約１００℃の融点範囲を有する第１のワックス；
０．０３重量％から０．１重量％の約８０から約９０℃の融点範囲を有する第２のワックス；
リン酸亜鉛；
ホウ酸；
酢酸；
リン酸；
およびバインダー
を含む冶金粉末組成物。
【請求項２】
約０．０５重量％から約１．５重量％の、1族金属ステアラート、2族金属ステアラート、またはエチレンビスステアラミド;
約０．０３重量％から約０．１重量％の、約８０から１００℃の融点範囲を有する第1のワックス；
約０．０３重量％から約０．１重量％の、約８０から９０℃の融点範囲を有する第２のワックス；
約０．０３重量％から約０．１重量％のリン酸亜鉛；
約０．０３重量％から約０．１重量％のホウ酸；
約０．０３重量％から約０．１重量％の酢酸；
約０．０３重量％から約０．１重量％のリン酸；および
約０．０３重量％から約０．１重量％のバインダー
を含む請求項１の冶金粉末組成物。
【請求項３】
前記第１のワックスがモンタンワックスであり、および／または前記第２のワックスがカルナウバワックスである、請求項１または請求項２の冶金粉末組成物。
【請求項４】
約０．０８重量％から約１．２重量％、特に０．０９重量％から１．１重量％である１族金属ステアラート、2族金属ステアラート、またはエチレンビスステアラミドを含む、前述の請求項のうちのいずれか１つの冶金粉末組成物。
【請求項５】
エチレンビスステアラミドを含む、前述の請求項のうちのいずれか１つの冶金粉末組成物。
【請求項６】
前記１族金属ステアラートまたは2族金属ステアラートがリチウムステアラートである、前述の請求項のうちのいずれか１つの冶金粉末組成物。
【請求項７】
約０．０３重量％から約０．０７重量％、特に０．０５重量％の第１のワックスを含む、前述の請求項のうちのいずれか１つの冶金粉末組成物。
【請求項８】
約０．０３重量％から約０．０７重量％、特に０．０５重量％の第２のワックスを含む、前述の請求項のうちのいずれか１つの冶金粉末組成物。
【請求項９】
約０．０３重量％から約０．０７重量％のリン酸亜鉛を含む、前述の請求項のうちのいずれか１つの冶金粉末組成物。
【請求項１０】
約０．０３重量％から約０．０７重量％、特に０．０５重量％のホウ酸を含む、前述の請求項のうちのいずれか１つの冶金粉末組成物。
【請求項１１】
約０．０３重量％から約０．０７重量％、特に０．０５重量％の酢酸を含む、前述の請求項のうちのいずれか１つの冶金粉末組成物。
【請求項１２】
約０．０３重量％から約０．０７重量％、特に０．０５重量％のリン酸を含む、前述の請求項のうちのいずれか１つの冶金粉末組成物。
【請求項１３】
約０．０３重量％から約０．０７重量％、特に０．０５重量％のバインダーを含む、前述の請求項のうちのいずれか１つの冶金粉末組成物。
【請求項１４】
前記バインダーがポリビニルアルコール、セルロースエステル、ポリビニルピロリドン、またはそれらの組み合わせである、前述の請求項のうちのいずれか１つの冶金粉末組成物。
【請求項１５】
前記バインダーがポリビニルアルコールである、前述の請求項のうちのいずれか１つの冶金粉末組成物。
【請求項１６】
前記バインダーがセルロースエステルである、前述の請求項のうちのいずれか１つの冶金粉末組成物。
【請求項１７】
前記バインダーがポリビニルピロリドンである、前述の請求項のうちのいずれか１つの冶金粉末組成物。
【請求項１８】
約０．１重量％の1族金属ステアラート、2族金属ステアラート、またはエチレンビスステアラミド；
約０．０５重量％の第1のワックス；
約０．０５重量％の第2のワックス；
約０．０５重量％のリン酸亜鉛；
約０．０３重量％から約０．１重量％のホウ酸;；
約０．０３重量％から約０．１重量％の酢酸；
約０．０３重量％から約０．１重量％のリン酸；および
約０．０３重量％から約０．１重量％のバインダー
を含む請求項１の冶金粉末組成物。
【請求項１９】
請求項１の冶金粉末組成物を圧縮することを含む、金属部品を製造する方法。
【手続補正２】
【補正対象書類名】明細書
【補正対象項目名】００５４
【補正方法】変更
【補正の内容】
【００５４】
例４：比較例
【表１】
2015513612.tif 000001
参考文献
ＵＳ公開出願番２００３／００８４７５２
ＵＳ公開出願番２００３／０１９３２５８
ＵＳ公開出願番２００３／０１９３２６０
ＵＳ公開出願番２００６／００１８７８０
ＵＳ公開出願番号２００８／００９２３８３
ＵＳ公開出願番号２００８／００７５６１９
Ｕ.Ｓ.７，０６３，８１５
Ｕ.Ｓ.７，６６６，３４８
Ｕ.Ｓ.７，５２４，３５２
Ｕ.Ｓ.６，１８７，２５９
Ｕ.Ｓ.６，０５１，１８４
Ｕ.Ｓ.５，３３４，３４１
Ｕ.Ｓ.５，４３２，２２３
Ｕ.Ｓ.５，０６９，７１４
Ｕ.Ｓ.５，４４２，３４１
Ｕ.Ｓ.５，３０８，５５６
Ｕ.Ｓ.５，２８６，３２３
Ｕ.Ｓ.３，４１０，６８４
Ｕ.Ｓ.３，３９０，９８６
ＷＯ２０１０／１０６９４９
ＷＯ２０１０／０８１６６７
Ｗ０２０１０／０４１７３５
Ｗ０２０１０／０１４００９
ＥＰ１１１９４２９
ＥＰ１７２２９１０
ＥＰ１５３６０２７
ＥＰ３７９５８３
ＪＰ２００７１８２５９３
ＪＰ２００５３８１３４７
ＪＰ０３８００５１０
ＪＰ０４６１４０２８
ＫＲ２００９０７２５９６
ＫＲ１０００７０２
ＫＲ９６２５５５
ＣＮ１０１６７０４３８
ＣＮ１０１４２５４１２
ＣＮ１０１４１７３３７
以下に、本願出願の当初の特許請求の範囲に記載された発明を付記する。
[１]
少なくとも９０重量％の鉄ベース冶金粉末；
１族金属ステアラート、２族金属ステアラート、またはエチレンビスステアラミド；
約８０から約１００℃の融点範囲を有する第１のワックス；
約８０から約９０℃の融点範囲を有する第２のワックス；
リン酸亜鉛；
ホウ酸；
酢酸；
リン酸；
およびバインダー
を含む冶金粉末組成物。
[２]
約０．０５重量％から約１．５重量％の、1族金属ステアラート、2族金属ステアラート、またはエチレンビスステアラミド;
約０．０３重量％から約０．１重量％の、約８０から１００℃の融点範囲を有する第1のワックス；
約０．０３重量％から約０．１重量％の、約８０から９０℃の融点範囲を有する第２のワックス；
約０．０３重量％から約０．１重量％のリン酸亜鉛；
約０．０３重量％から約０．１重量％のホウ酸；
約０．０３重量％から約０．１重量％の酢酸；
約０．０３重量％から約０．１重量％のリン酸；および
約０．０３重量％から約０．１重量％のバインダー
を含む[１]の粉末冶金組成物。
[３]
前記第１のワックスがモンタンワックスである、上記[１]または[２]の粉末冶金組成物。
[４]
前記第２のワックスがカルナウバワックスである、前述の事項のうちのいずれか１つの粉末冶金組成物。
[５]
約０．０８重量％から約１．２重量％である１族金属ステアラート、2族金属ステアラート、またはエチレンビスステアラミドを含む、前述の事項のうちのいずれか１つの粉末冶金組成物。
[６]
約０．０９重量％から約１．１重量％の１族金属ステアラート、2族金属ステアラート、またはエチレンビスステアラミドを含む、前述の事項のうちのいずれか１つの粉末冶金組成物。
[７]
エチレンビスステアラミドを含む、前述の事項のうちのいずれか１つの粉末冶金組成物。
[８]
前記１族金属ステアラートまたは2族金属ステアラートがリチウムステアラートである、前述の事項のうちのいずれか１つの粉末冶金組成物。
[９]
約０．０３重量％から約０．０７重量％の第１のワックスを含む、前述の事項のうちのいずれか１つの粉末冶金組成物。
[１０]
約０．０５重量％の第１のワックスを含む、前述の事項のうちのいずれか１つの粉末冶金組成物。
[１１]
約０．０３重量％から約０．０７重量％の第２のワックスを含む、前述の事項のうちのいずれか１つの粉末冶金組成物。
[１２]
約０．０５重量％の第２のワックスを含む、前述の事項のうちのいずれか１つの粉末冶金組成物。
[１３]
約０．０３重量％から約０．０７重量％のリン酸亜鉛を含む、前述の事項のうちのいずれか１つの粉末冶金組成物。
[１４]
約０．０５重量％のリン酸亜鉛を含む、前述の事項のうちのいずれか１つの粉末冶金組成物。
[１５]
約０．０３重量％から約０．０７重量％のホウ酸を含む、前述の事項のうちのいずれか１つの粉末冶金組成物。
[１６]
約０．０５重量％のホウ酸を含む、前述の事項のうちのいずれか１つの粉末冶金組成物。
[１７]
約０．０３重量％から約０．０７重量％の酢酸を含む、前述の事項のうちのいずれか１つの粉末冶金組成物。
[１８]
約０．０５重量％の酢酸を含む、前述の事項のうちのいずれか１つの粉末冶金組成物。
[１９]
約０．０３重量％から約０．０７重量％のリン酸を含む、前述の事項のうちのいずれか１つの粉末冶金組成物。
[２０]
約０．０５重量％のリン酸を含む、前述の事項のうちのいずれか１つの粉末冶金組成物。
[２１]
約０．０３重量％から約０．０７重量％のバインダーを含む、前述の事項のうちのいずれか１つの粉末冶金組成物。
[２２]
約０．０５重量％のバインダーを含む、前述の事項のうちのいずれか１つの粉末冶金組成物。
[２３]
前記バインダーがポリビニルアルコール、セルロースエステル、ポリビニルピロリドン、またはそれらの組み合わせである、前述の事項のうちのいずれか１つの粉末冶金組成物。
[２４]
前記バインダーがポリビニルアルコールである、前述の事項のうちのいずれか１つの粉末冶金組成物。
[２５]
前記バインダーがセルロースエステルである、前述の事項のうちのいずれか１つの粉末冶金組成物。
[２６]
前記バインダーがポリビニルピロリドンである、前述の事項のうちのいずれか１つの粉末冶金組成物。
[２７]
約０．１重量％の1族金属ステアラート、2族金属ステアラート、またはエチレンビスステアラミド；
約０．０５重量％の第1のワックス；
約０．０５重量％の第2のワックス；
約０．０５重量％のリン酸亜鉛；
約０．０３重量％から約０．１重量％のホウ酸;
約０．０３重量％から約０．１重量％の酢酸；
約０．０３重量％から約０．１重量％のリン酸；および
約０．０３重量％から約０．１重量％のバインダー
を含む[１]の粉末冶金組成物。
[２８]
前記1族金属ステアラートまたは2族金属ステアラートがリチウムステアラートである、上記[２７]の粉末冶金組成物。
[２９]
エチレンビスステアラミドを含む上記［２７］または［２８］の粉末冶金組成物。
[３０]
第１のワックスがモンタンワックスである、上記［２７］から［２９］の粉末冶金組成物。
[３１]
第２のワックスがカルナウバワックスである、上記［２７］から［３０］の粉末冶金組成物。
[３２]
前記バインダーがポリビニルアルコール、セルロースエステル、ポリビニルピロリドン、またはそれらの組み合わせである、上記［２７］から［３１］の粉末冶金組成物。
[３３]
上記［１］の粉末冶金組成物を圧縮することを含む、金属部品を製造する方法。